(57)【特許請求の範囲】
【請求項１】
複数の編針が並列される針床の長手方向に往復するキャリッジの一面側を構成するカムプレートと、
カムプレートから突出して設けられ、編針に備わる編成動作用バットの下端に作用して編針をバットの上端側となる歯口に向かって進出させる上昇斜面を有する概略山型のニードルレイジングカムと、
カムプレートから突出して設けられ、編成動作用バットの上端に作用して編針を歯口とは反対側に退出させる下降斜面の一部を構成する第一斜面を有する天山カムと、
カムプレートから突出して、ニードルレイジングカムの左右に一対設けられ、下降斜面の残部を構成する第二斜面を有し、最終的な編針の引き込み量を決定する度山カムと、を有するカムシステムを備える横編機において、
ニードルレイジングカムの両側で、前記上昇斜面と下降斜面との間におけるカムプレートに配置され、カムプレートの平面に交差する方向に出没自在に構成される左右一対の出没カムを有し、
前記出没カムは、
前記編成動作用バットが上昇斜面により上げられる側では、編成動作用バットの移動を妨げることのないように没状態となり、
前記編成動作用バットが下降斜面により下げられる側では、編成動作用バットの下端に対向する部分で編成動作用バットの上下の振動代を小さくするように突出状態となることを特徴とする横編機。
【請求項２】
出没カムは、前記下降斜面に沿う概略板状部材であり、
出没カムの上端側は、出没カムの下端側を出没方向に揺動可能に軸支され、
出没カムの下端側は、カムプレートと出没カムとの間に配される弾性体により、カムプレートから突出する方向に押圧されることを特徴とする請求項１に記載の横編機。
【請求項３】
度山カムは、
前記第二斜面を有するカム本体と、前記カム本体の下端側に連結され、前記第二斜面に沿って下げられる前記編成動作用バットの過剰な下降を防止する受けカムとを備え、第二斜面に沿った方向にスライド可能に構成されており、
度山カムのスライド位置により、受けカムの一部で出没カムを没状態に押圧することを特徴とする請求項２に記載の横編機。
【発明の詳細な説明】
【技術分野】
【０００１】
本発明は、針床に列設される編針に編成動作を行わせる横編機に関する。
【背景技術】
【０００２】
横編機は、針床と針床の長手方向に往復動作するキャリッジとを備え、針床に列設される複数の編針を針溝の長手方向に進退させることで編地を編成する装置である。（例えば、特許文献１や特許文献２を参照）。編針の編成動作は、ニット・タック・ミスの３つを基本とし、キャリッジに備わるカムシステムで、各編針に備わる複数のバットを動作させることによって制御される。【０００３】
図１は、従来のカムシステムにおいて、編成動作としてニットが選択された場合の編針７とカムシステムとの対応状態を示す概略説明図である。なお、この図１では、説明の便宜上、カムシステムのうち、ニードルレイジングカム２、天山カム３、および度山カム４のみを示すと共に、編針７も実際の配置方向とは異なる方向から見たものを示す。【０００４】
編針７は、通常、フック（図示せず）を有する針本体７１と、ニードルジャック７２と、セレクトジャック７３と、セレクタ７４とを有する。これらの部材のうち、ニードルジャック７２には、編成動作用バット７０が設けられており、この編成動作用バット７０に後述するカムシステムが作用することで、ニードルジャック７２が歯口０方向に進退し、その結果、針本体７１が歯口０の方向に進退する。【０００５】
編成動作としてニットが選択された編針７の編成動作用バット７０は、図１に二点鎖線の矢印で示すルートを辿る。具体的には、キャリッジの移動に伴い、編成動作用バット７０は、紙面左側の度山カム４の薄肉部４３を通過し、ニードルレイジングカム２の上昇斜面８によって歯口０方向に突き上げられる。さらにキャリッジが移動すると、編成動作用バット７０は、天山カム３の第一斜面９１と度山カム４の第二斜面９２とからなる下降斜面９によって歯口０とは反対側に押し下げられる。度山カム４は、第二斜面９２に沿った方向にスライド可能に構成されており、スライドすることで第二斜面９２の下端の位置を変え、編針７の引き込み量を調節することができる。
【先行技術文献】
【特許文献】
【０００６】
【特許文献１】特公平２−１０２６２号公報
【特許文献２】特開２００６−１８３１８２号公報
【発明の概要】
【発明が解決しようとする課題】
【０００７】
ところで、図１に示すように、ある種の横編機では、上昇斜面８と下降斜面９との間に編成動作用バット７０の長さよりも大きい幅のギャップが形成される場合がある。広いギャップが形成される理由はいくつかある。その一つとして、複合針における針本体とスライダの両方を動かすタイミングを調整するため、上昇斜面８を下降斜面９から離れた位置にすることが挙げられる（例えば、特許文献２を参照）。また、別の理由として、編成動作用バット７０と上昇斜面８とが接触する際の衝撃を緩和するためや、接触による両者の摩耗を低減するために、下降斜面９の傾斜角度に対して上昇斜面８の傾斜角度を緩くすることも挙げられる。【０００８】
このような横編機において、近年では、編地の生産効率を向上させるため、編成速度の更なる高速化、即ち、キャリッジの移動速度を高速化することが検討されている。ここで、編成動作を高速化した際、上昇斜面８と下降斜面９との間に大きなギャップがあると、編成動作用バット７０は、カム２，３，４に接触したときに、バット７０の進行方向と直交する方向（図中に例示する黒矢印の方向）に跳ねて、ギャップの部分で正規のルートからズレた位置に振動する。このような振動は、編成動作用バット７０が上昇する際には特に問題とならないが、下降する際には針床への編糸の引き込み量にバラツキを生じさせ、編地の出来ばえを損なう原因となる。【０００９】
本発明は、上記事情に鑑みてなされたものであり、その目的は、下降斜面に接触した際の編成動作用バットの振動を抑制することができる横編機を提供することにある。
【課題を解決するための手段】
【００１０】
本発明は、カムプレートと、ニードルレイジングカムと、天山カムと、度山カムとを有するカムシステムを備える横編機に係る。カムプレートは、複数の編針が並列される針床の長手方向に往復するキャリッジの一面側を構成する。ニードルレイジングカムは、カムプレートから突出して設けられ、編針に備わる編成動作用バットの下端に作用して編針をバットの上端側となる歯口に向かって進出させる上昇斜面を有する概略山型の部材である。天山カムは、カムプレートから突出して設けられ、編成動作用バットの上端に作用して編針を歯口とは反対側に退出させる下降斜面の一部を構成する第一斜面を有する部材である。度山カムは、カムプレートから突出して、ニードルレイジングカムの左右に一対設けられ、下降斜面の残部を構成する第二斜面を有し、最終的な編針の引き込み量を決定する部材である。このような構成を備える本発明の横編機は、更に、ニードルレイジングカムの両側で、上昇斜面と下降斜面との間におけるカムプレートに配置され、カムプレートの平面に交差する方向に出没自在に構成される左右一対の出没カムを有することを特徴とする。この出没カムは、編成動作用バットが上昇斜面により上げられる側では、編成動作用バットの移動を妨げることのないように没状態となり、編成動作用バットが下降斜面により下げられる側では、編成動作用バットの下端に対向する部分で編成動作用バットの上下の振動代を小さくするように突出状態となる。【００１１】
出没カムは、カムプレートに対して出没自在に構成されていれば良く、その構成は特に限定されない。例えば、出没カムをカムプレートの面と直交する方向に出没自在に構成し、ソレノイドなどの電磁的駆動手段や、モーターなどの機械的駆動手段で出没カムを駆動しても良い。その他、出没カム専用の駆動手段を用いることなく出没カムの出没を制御できる構成として、以下に示すものが挙げられる。【００１２】
本発明の横編機において、出没カムを、下降斜面に沿う概略板状部材とする。そして、出没カムの上端側は、出没カムの下端側を出没方向に揺動可能に軸支され、出没カムの下端側は、カムプレートと出没カムとの間に配される弾性体により、カムプレートから突出する方向に押圧される構成とする。【００１３】
さらに、上段の構成を備える出没カムに対して、度山カムを以下のように構成することが好ましい。即ち、第二斜面を有するカム本体と、カム本体の下端側に連結され、下降斜面に沿って下げられる編成動作用バットの過剰な下降を防止する受けカムとを備え、第二斜面に沿った方向にスライド可能に構成される度山カムとする。そして、度山カムのスライド位置により、受けカムの一部で出没カムを没状態に押圧する構成とする。
【発明の効果】
【００１４】
本発明の横編機によれば、編針の編成動作用バットが天山カムと度山カムで下げられるときに、編成動作用バットの下端を出没カムがガイドするので、カムシステムの上下方向への編成動作用バットの振動を抑制できる。その結果、高速での編成においても編針の編成動作が安定するので、仕上がりの美しい編地を編成できる。【００１５】
出没カムの一端側を軸支することで出没カムの他端側を揺動自在に構成すると共に、弾性体により他端側を突出方向に押圧する構成とすると、出没カムに対して電磁的な駆動手段を設けることなく、出没カムの出没を制御できる。具体的には、編成動作用バットに上昇斜面が作用する側では、編成動作用バットで出没カムをカムプレート側に押圧することで出没カムを没状態にすることができる。特に、編成動作用バットが出没カムに接触した際、編成動作用バットが出没カムに当て止めされることなく乗り上げるように、出没カムに斜面を形成することが好ましい。また、編成動作用バットに下降斜面が作用する側では、出没カムは弾性体により突出状態となっているため、下降斜面に接触して跳ねた編成動作用バットの下端を出没カムで下支えすることができる。【００１６】
上段の構成とした出没カムを押圧する構成として、度山カムの下端側に設けた受けカムの一部を使用すると、出没カムを押圧するために別途駆動源を設けることなく出没カムの没状態と突出状態との切り替えを制御できる。加えて、編成動作用バットに上昇斜面が作用する側で、編成動作用バットと出没カムとが直接接触することを避けることができ、両部材の損傷の可能性を低減できる。
【図面の簡単な説明】
【００１７】
【図１】従来のカムシステムにおいて、編成動作としてニットが選択された場合の編針とカムシステムとの対応状態を示す概略説明図である。
【図２】実施形態に係る横編機における出没カムの配置状態を示す概略説明図である。
【図３】出没カムの概略三面図で、(Ａ)は正面図、(Ｂ)は(Ａ)の矢視図、(Ｃ)は下面図である。
【発明を実施するための形態】
【００１８】
以下、本発明の実施形態を図に基づいて説明する。本発明横編機は、従来のカムシステムにはない出没カムを備えることに特徴があり、この出没カム以外の構成は、図１を参照して既に説明した従来のカムシステムとほぼ同一である。従って、以下の実施形態では、従来のカムシステムと同一の部材については図１と同じ符号を付して説明を省略し、従来のカムシステムとの相違点を中心に説明する。
【００１９】
図２は、実施形態に係るカムシステムにおける出没カム１の配置状態を示す概略説明図である。この図２では、カムシステムを正面から見た図に加えて、出没カム１が配置される位置におけるカムプレート１００の部分断面図を度山カム４の近傍に示している。部分断面図における二点鎖線は、編成動作用バット７０の高さの位置を示す。また、図３は、図２に示す紙面左側の出没カム１の三面図であって、(Ａ)は正面図、(Ｂ)は(Ａ）の矢視図、(Ｃ)は下面図である。なお、図２の紙面右側の出没カム１は、図３の出没カムと左右対称の形状を有する。
【００２０】
図２に示すように、本発明のカムシステムは、上昇斜面８と下降斜面９（第一斜面９１および第二斜面９２）との間に形成されるギャップの位置で、カムプレート１００に形成される凹部に嵌め込まれた一対の出没カム１を有する。
【００２１】
出没カム１は、概略板状の部材であり、その上端側に形成される揺動軸１ｓと、下端側の背面に形成されるバネ座１ｇとを有する。また、出没カム１の正面側、つまり編針７の編成動作用バット７０に対向する側には複数の面１１〜１６が形成されている。さらに、出没カム１は、その側面側において面１１の上端の位置から面１４の下端の位置に至るガイド斜面１０を有する。
【００２２】
出没カム１の面１５は、後述するニードルレイジングカム２の薄肉部２２に当接して、出没カム１の突出量の上限を決定する面である。面１５が、後述する薄肉部２２に当接した際、面１５を含む面１４、面１２の３面がカムプレート１００とほぼ平行になる。これらの面１２、１４、１５の高さは、後述する理由により、面１２が最も高く、次いで面１４、面１５の順に低くなっている。また、面１５に対して出没カム１の他端側に隣接する面１６は、他端側に向かうに従い背面側に下がっている。さらに、面１１および面１３はそれぞれ、出没カム１をカムプレート１００に配置した際、面１２および１４に対してカムシステムの左右方向に隣接する面であり、面１２、１４側から揺動軸１ｓの突出部分に向かうに従い背面側に下がっている。
【００２３】
この出没カム１をカムプレート１００の凹部に配置すると、出没カム１の一端側が揺動軸１ｓでカムプレート１００に軸支され、他端側は揺動可能になる。また、出没カム１のバネ座１ｇとカムプレート１００との間にはバネ（弾性体）１９が配置され、出没カム１の他端側は、常にカムプレート１００から突出する方向に付勢され、面１５で薄肉部２２に当接する。このように配置された出没カム１は、カムプレート１００とニードルレイジングカム２と天山カム３とで囲まれる空間において、従来のカムシステムにおけるカム２，３の位置を動かすことなく、コンパクトに配置されている。
【００２４】
一方、度山カム４は、下降斜面９を構成する第二斜面９２を有するカム本体４１と、カム本体４１の下端側に形成される受けカム４２と、カム本体４１と受けカム４２とを繋ぐ薄肉部４３とを備える点は従来と同じである。但し、受けカム４２がニードルレイジングカム２側に張り出している。そのため、概略山型をしたニードルレイジングカム２の裾野の部分に、この受けカム４２の張出部４２０を収納する薄肉部２２が形成されている。この薄肉部２２は、ニードルレイジングカム２の裏面側（紙面奥側）を切り欠くことで形成される。
【００２５】
以上説明した構成を備える出没カム１、ニードルレイジングカム２、天山カム３、および度山カム４により、編成動作として編針にニットを行わせる際の編成動作用バット７０の軌跡を図２に基づいて説明する。
【００２６】
まず、編成動作用バット７０がニードルレイジングカム２に導入される際は、紙面左側の度山カム４が第二斜面９２に沿って上がり、編成動作用バット７０の進路に薄肉部４３が配置される。このとき、度山カム４の張出部４２０、即ち、受けカム４２の一部は、出没カム１の面１６をカムプレート１００側に押圧して、出没カム１の他端側をカムプレート１００の凹部内に沈み込ませる。最終的に、張出部４２０は出没カム１の面１５を押圧し、二点鎖線で示す編成動作用バット７０の高さの位置から出没カム１の面１４をカムプレート１００側に退避させる。ここで、出没カム１の面１５の高さは、出没カム１をどの程度沈み込ませるかによって決定された高さであり、面１４の高さは、出没カム１を沈み込ませたときに、二点鎖線の位置から退避できる高さである。
【００２７】
ニードルレイジングカム２に導入された編成動作用バット７０は、度山カム４の薄肉部４３を通過した後、没状態にある出没カム１の面１４，１３の位置を出没カム１に接触することなく通過し、上昇斜面８に接触して歯口方向に向かって上昇する。そして、編成動作用バット７０は、ニードルレイジングカム２の頂点の位置を通過し、天山カム３の第一斜面９１（下降斜面９）に接触して歯口とは反対方向に向かって下降する。
【００２８】
編成動作用バット７０が下降斜面９に接触する前に、度山カム４は、第二斜面９２の下端の位置、即ち、下降斜面９の下端の位置が所望の位置となるように、第二斜面９２に沿った方向に下がる。第二斜面９２の下端の位置により、編成動作用バット７０の引き下げ量、即ち、編針の引き込み量が決定される。このとき、度山カム４の受けカム４２に備わる張出部４２０は、出没カム１の面１６に作用しない位置にあるので、出没カム１は、バネ１９の弾性力によりカムプレート１００の凹部底面から離れる方向に押圧され、面１５の部分でニードルレイジングカム２の薄肉部２２に当て止めされる。
【００２９】
突出状態となった出没カム１のガイド斜面１０は、下降斜面９に対向する位置に配置される（図２の右側の出没カム１を参照）。そのため、編成動作用バット７０が第一斜面９１に接触した際に度山カム４の下方向に跳ねても、編成動作用バット７０はガイド斜面１０に当て止めされ、振動することなく下降斜面９に沿って下げられる。この位置におけるガイド斜面１０は、最も高さの大きい部分であり、確実に編成動作用バット７０を当て止めすることができる。また、第一斜面９１と第二斜面９２の境界部においても編成動作用バット７０が度山カム４の下方向に跳ね易いが、その場合も編成動作用バット７０はガイド斜面１０に当て止めされる。このように、編成動作用バット７０が度山カム４の下方向に跳ね易い位置で常にガイド斜面１０で当て止めされるので、キャリッジを高速化しても、編糸の引き込みの度合いが安定し、仕上がりの良い編地を編成できる。
【００３０】
ここで、メンテナンスのときなどに手で編針を操作した後、キャリッジを動かした際、編成動作用バット７０が、ガイド斜面１０の上端の位置よりも下がった状態で出没カム１に接触することがある。例えば、図２における出没カム１の面１１の高さや、面１３の高さで、編成動作用バット７０が出没カム１に接触する場合がある。このような場合、編成動作用バット７０は、紙面左側に向かって下がる傾斜面である面１１または面１３に乗り上げて、出没カム１を沈み込ませるので、編成動作用バット７０と出没カム１との衝突の衝撃がまともに両部材に作用することを防止できる。面１１または面１３に乗り上げた編成動作用バット７０は、面１２または面１４を通過して、ガイド斜面１０と下降斜面９とのギャップに至り、そのまま、下降斜面９に沿って下げられる。
【００３１】
なお、編成動作用バットを備える編針は、べら針であっても良いし、スライダを有する複合針であっても良い。また、本発明の構成は、目移し用カムを備える複合カムシステムにも適用できる。
【符号の説明】
【００３２】
０  歯口
１００  カムプレート
１  出没カム
１ｓ  揺動軸  １ｇ  バネ座  １９  バネ
１０  ガイド斜面  １１〜１６  面
２  ニードルレイジングカム  ２２  薄肉部
３  天山カム
４  度山カム
４１  カム本体  ４２  受けカム  ４３  薄肉部  ４２０  張出部
７  編針
７１  針本体  ７２  ニードルジャック
７３  セレクトジャック  ７４  セレクタ
７０  編成動作用バット
８  上昇斜面
９  下降斜面  ９１  第一斜面  ９２第二斜面
【図１】
0005414697.tif 000002
【図２】
0005414697.tif 000003
【図３】
0005414697.tif 000004